(57)【要約】      （修正有）【課題】乳房を持ち上げて形状を整えると共に、着用時に不快感を緩和するカップ部を有する下着およびカップ部を有する水着を提供する。【解決手段】下着および水着は、土台部１１とカップ部１２と肩ひも１３とワイヤ１４と補強布１６とを備える。ワイヤ１４は、カップ部１２の少なくとも一部に配置され、カップ部１２の下縁に沿うように形成された円弧状部と、円弧状部の外側の部分から上側に向かって延びるように形成され、カップ部１２の外縁に沿うように湾曲する第１湾曲部と、第１湾曲部から上側に向かって延びるように形成され、第１湾曲部と反対側に湾曲している第２湾曲部とを含んでいる。カップ部１２の頂点１２ａから鉛直方向上方に向かって延びる軸と、カップ部１２の頂点１２ａから肩ひも１３とカップ部１２との接続点１３ａに向かって延びる軸との交差する角度が０度以上１５度以下である。【選択図】図３
0003153735.tif 000002
【実用新案登録請求の範囲】
【請求項１】
土台部と、
前記土台部に接続され、左右の乳房をそれぞれ覆うためのカップ部と、
前記土台部および前記カップ部のうち少なくとも一方に接続された肩ひもと、
前記カップ部の少なくとも一部に配置されたワイヤとを備え、
前記ワイヤは、前記カップ部の下縁に沿うように形成された円弧状部と、
前記円弧状部の外側の部分から上側に向かって延びるように形成され、前記カップ部の外縁に沿うように湾曲する第１湾曲部と、
前記第１湾曲部から上側に向かって延びるように形成され、前記第１湾曲部と反対側に湾曲する第２湾曲部とを含み、
前記カップ部の頂点から鉛直方向上方に向かって延びる軸と、前記カップ部の頂点から前記肩ひもと前記カップ部との接続点に向かって延びる軸との交差する角度が０度以上１５度以下であり、
前記カップ部は、前面側の布と、背面側の布とを有し、
前記ワイヤは、前記ワイヤにおける左右の乳房の内側に配置される前記円弧状部の先端部である一方端と、前記ワイヤにおける左右の乳房の外側に配置される前記第２湾曲部の先端である他方端とを有し、
前記カップ部において、前記カップ部のうち前記ワイヤが挿入されている部分と接続され、前記カップ部の頂点に向かう側の平面形状が凹凸になるように形成された補強布をさらに備え、
前記補強布は、前記カップ部において前記ワイヤの前記円弧状部における前記一方端近傍から前記第１湾曲部と接続される接続点近傍までに渡り接続され、前記カップ部の頂点に向かう側の先端が鋭角に形成された凹凸形状であり、
前記補強布は、前記カップ部の前記前面側の布と前記背面側の布との間に配置されている、下着。
【請求項２】
前記一方端および前記他方端が、着用したときに体の前後方向になるべき方向に折り曲げ可能であり、折り曲げた形状を維持できる、請求項１に記載の下着。
【請求項３】
前記ワイヤにおける左右の乳房の内側に配置される前記円弧状部の先端部である一方端が、前記カップ部の頂点よりも低い位置に形成された、請求項１または２に記載の下着。
【請求項４】
前記カップ部のうち前記ワイヤが挿入されている部分および前記土台部と接続され、伸縮可能な布で形成された伸縮部をさらに備えた、請求項１〜３のいずれか１項に記載の下着。
【請求項５】
水着用土台部と、
前記水着用土台部に接続され、左右の乳房をそれぞれ覆うためのカップ部と、
前記水着用土台部および前記カップ部のうち少なくとも一方に接続された肩ひもと、
前記カップ部の少なくとも一部に配置されたワイヤとを備え、
前記ワイヤは、前記カップ部の下縁に沿うように形成された円弧状部と、
前記円弧状部の外側の部分から上側に向かって延びるように形成され、前記カップ部の外縁に沿うように湾曲する第１湾曲部と、
前記第１湾曲部から上側に向かって延びるように形成され、前記第１湾曲部と反対側に湾曲する第２湾曲部とを含み、
前記カップ部の頂点から鉛直方向上方に向かって延びる軸と、前記カップ部の頂点から前記肩ひもと前記カップ部との接続点に向かって延びる軸との交差する角度が０度以上１５度以下であり、
前記カップ部は、前面側の布と、背面側の布とを有し、
前記ワイヤは、前記ワイヤにおける左右の乳房の内側に配置される前記円弧状部の先端部である一方端と、前記ワイヤにおける左右の乳房の外側に配置される前記第２湾曲部の先端である他方端とを有し、
前記カップ部において、前記カップ部のうち前記ワイヤが挿入されている部分と接続され、前記カップ部の頂点に向かう側の平面形状が凹凸になるように形成された補強布をさらに備え、
前記補強布は、前記カップ部において前記ワイヤの前記円弧状部における前記一方端近傍から前記第１湾曲部と接続される接続点近傍までに渡り接続され、前記カップ部の頂点に向かう側の先端が鋭角に形成された凹凸形状であり、
前記補強布は、前記カップ部の前記前面側の布と前記背面側の布との間に配置されている、水着。
【請求項６】
前記一方端および前記他方端が、着用したときに体の前後方向になるべき方向に折り曲げ可能であり、折り曲げた形状を維持できる、請求項５に記載の水着。
【請求項７】
前記ワイヤにおける左右の乳房の内側に配置される前記円弧状部の先端部である一方端が、前記カップ部の頂点よりも低い位置に形成された、請求項５または６に記載の水着。
【請求項８】
前記カップ部のうち前記ワイヤが挿入されている部分と前記水着用土台部とが接続され、伸縮可能な布で形成された伸縮部をさらに備えた、請求項５〜７のいずれか１項に記載の水着。
【考案の詳細な説明】
【技術分野】
【０００１】
本考案は下着および水着に関し、たとえばワイヤがティアドロップ型である下着および水着である。
【背景技術】
【０００２】
従来、図７（Ａ）に示すように、カップ部を有する下着の一例であるブラジャー１００は、土台部１０１と、カップ部１０２と、肩ひも１０３と、ワイヤ１０４とを備えている。ワイヤ１０４は、図７（Ｂ）に示すように、乳房の下方を保持する略半円形状としていることが一般に知られている。
【０００３】
また、特開昭６０−１２６３０３号公報（特許文献１）には、乳房の外側に配置される外側縁、下側縁、内側縁、外側縁延長部分、および内側縁延長部分とを備えるカップワイヤが開示されている。
【先行技術文献】
【特許文献】
【０００４】
【特許文献１】特開昭６０−１２６３０３号公報
【考案の概要】
【考案が解決しようとする課題】
【０００５】
しかしながら、従来のブラジャー１００は、ワイヤ部１０４が略半円形状であることから、乳房の包み込みが不十分な場合がある。この場合、ブラジャー１００の着用時において、上方および脇側の乳房の形状を整えることができないという問題がある。また、肩ひも１０３が乳房の中心よりも外側に配置されているので、ブラジャー１００の着用時には乳房を中心側に寄せて形状を整えることが不十分な場合がある。
【０００６】
また、着用時にワイヤ部１０４の先端部１０４ａ近傍が体に接触し、接触の角度または状態によっては不快感が生じる場合がある。
【０００７】
さらに、乳房の包み込みが不十分な状態で、乳房を持ち上げるなど乳房の形状を整えることを重視すると、肩ひも１０３によりカップ部１０２を引き上げることが必要となる。その場合には、肩ひも１０３の負担が大きくなり、肩への負担も大きくなる。肩への負担が大きくなると、たとえば肩こりなどが生じる場合がある。
【０００８】
また、上記特許文献１に記載のカップワイヤでは、内側縁延長部分が設けられている。一般的に、カップワイヤの内側縁延長部分に相当する乳房の形状は、人によって形状が非常に相違するところである。そのため、当該カップワイヤをたとえばブラジャーに適用して着用すると、内側縁延長部分が体に接触し、不快感を生じる可能性が非常に高い。
【０００９】
それゆえ本考案の目的は、上記のような課題を解決するためになされたものであり、乳房を持ち上げて形状を整えると共に、着用時に不快感を緩和する下着および水着を提供することである。
【課題を解決するための手段】
【００１０】
本考案の一の局面における下着は、土台部と、カップ部と、肩ひもと、ワイヤとを備えている。カップ部は、土台部に接続され、左右の乳房をそれぞれ覆うための部材である。肩ひもは、土台部およびカップ部のうち少なくとも一方に接続されている。ワイヤは、カップ部の少なくとも一部に配置されている。ワイヤは、カップ部の下縁に沿うように形成された円弧状部と、円弧状部の外側の部分から上側に向かって延びるように形成され、カップ部の外縁に沿うように湾曲する第１湾曲部と、第１湾曲部から上側に向かって延びるように形成され、第１湾曲部と反対側に湾曲する第２湾曲部とを含む。ワイヤは、ワイヤにおける左右の乳房の内側に配置される円弧状部の先端部である一方端と、ワイヤにおける左右の乳房の外側に配置される第２湾曲部の先端である他方端とを有している。一方端および他方端が、着用したときに体の前後方向になるべき方向に折り曲げ可能であり、折り曲げた形状を維持できる。
【００１１】
上記下着において好ましくは、一方端が、カップ部の頂点よりも低い位置に形成されている。また、肩ひもは、カップ部の頂点から鉛直方向上方に向かって延びる軸と、カップ部の頂点から肩ひもとカップ部との接続点に向かって延びる軸との交差する角度が０度以上１５度以下である。
【００１２】
本考案の他の局面における下着は、土台部と、カップ部と、肩ひもと、ワイヤとを備えている。カップ部は、土台部に接続され、左右の乳房をそれぞれ覆うための部材である。肩ひもは、土台部およびカップ部のうち少なくとも一方に接続されている。ワイヤは、カップ部の少なくとも一部に配置されている。ワイヤは、カップ部の下縁に沿うように形成された円弧状部と、円弧状部の外側の部分から上側に向かって延びるように形成され、カップ部の外縁に沿うように湾曲する第１湾曲部と、第１湾曲部から上側に向かって延びるように形成され、第１湾曲部と反対側に湾曲する第２湾曲部とを含む。ワイヤにおける左右の乳房の内側に配置される円弧状部の先端部である一方端が、カップ部の頂点よりも低い位置に形成されている。
【００１３】
本考案のさらに他の局面における下着は、土台部と、カップ部と、肩ひもと、ワイヤとを備えている。カップ部は、土台部に接続され、左右の乳房をそれぞれ覆うための部材である。肩ひもは、土台部およびカップ部のうち少なくとも一方に接続されている。ワイヤは、カップ部の少なくとも一部に配置されている。ワイヤは、カップ部の下縁に沿うように形成された円弧状部と、円弧状部の外側の部分から上側に向かって延びるように形成され、カップ部の外縁に沿うように湾曲する第１湾曲部と、第１湾曲部から上側に向かって延びるように形成され、第１湾曲部と反対側に湾曲する第２湾曲部とを含む。肩ひもは、カップ部の頂点から鉛直方向上方に向かって延びる軸と、カップ部の頂点から肩ひもとカップ部との接続点に向かって延びる軸との交差する角度が０度以上１５度以下である。
【００１４】
上記下着において好ましくは、カップ部のうちワイヤが挿入されている部分および土台部と接続され、伸縮可能な布で形成された伸縮部をさらに備えている。
【００１５】
上記下着において好ましくは、カップ部において、カップ部のうちワイヤが挿入されている部分と接続され、カップ部の頂点に向かう側の平面形状が凹凸になるように形成された補強布をさらに備えている。
【００１６】
本考案の一の局面における水着は、水着用土台部と、カップ部と、肩ひもと、ワイヤとを備えている。カップ部は、水着用土台部に接続され、左右の乳房をそれぞれ覆うための部材である。肩ひもは、水着用土台部およびカップ部のうち少なくとも一方に接続されている。ワイヤは、カップ部の下縁に沿うように形成された円弧状部と、円弧状部の外側の部分から上側に向かって延びるように形成され、カップ部の外縁に沿うように湾曲する第１湾曲部と、第１湾曲部から上側に向かって延びるように形成され、第１湾曲部と反対側に湾曲する第２湾曲部とを含む。ワイヤは、ワイヤにおける左右の乳房の内側に配置される円弧状部の先端部である一方端と、ワイヤにおける左右の乳房の外側に配置される第２湾曲部の先端である他方端とを有している。一方端および他方端が、着用したときに体の前後方向になるべき方向に折り曲げ可能であり、折り曲げた形状を維持できる。
【００１７】
上記水着において好ましくは、一方端が、カップ部の頂点よりも低い位置に形成されている。また、肩ひもは、カップ部の頂点から鉛直方向上方に向かって延びる軸と、カップ部の頂点から肩ひもとカップ部との接続点に向かって延びる軸との交差する角度が０度以上１５度以下である。
【００１８】
本考案の他の局面における水着は、水着用土台部と、カップ部と、肩ひもと、ワイヤとを備えている。カップ部は、水着用土台部に接続され、左右の乳房をそれぞれ覆うための部材である。肩ひもは、水着用土台部およびカップ部のうち少なくとも一方に接続されている。ワイヤは、カップ部の下縁に沿うように形成された円弧状部と、円弧状部の外側の部分から上側に向かって延びるように形成され、カップ部の外縁に沿うように湾曲する第１湾曲部と、第１湾曲部から上側に向かって延びるように形成され、第１湾曲部と反対側に湾曲する第２湾曲部とを含む。ワイヤにおける左右の乳房の内側に配置される円弧状部の先端部である一方端が、カップ部の頂点よりも低い位置に形成されている。
【００１９】
本考案のさらに他の局面における水着は、水着用土台部と、カップ部と、肩ひもと、ワイヤとを備えている。カップ部は、水着用土台部に接続され、左右の乳房をそれぞれ覆うための部材である。肩ひもは、水着用土台部およびカップ部のうち少なくとも一方に接続されている。ワイヤは、カップ部の下縁に沿うように形成された円弧状部と、円弧状部の外側の部分から上側に向かって延びるように形成され、カップ部の外縁に沿うように湾曲する第１湾曲部と、第１湾曲部から上側に向かって延びるように形成され、第１湾曲部と反対側に湾曲する第２湾曲部とを含む。肩ひもは、カップ部の頂点から鉛直方向上方に向かって延びる軸と、カップ部の頂点から肩ひもとカップ部との接続点に向かって延びる軸との交差する角度が０度以上１５度以下である。
【００２０】
上記水着において好ましくは、カップ部のうちワイヤが挿入されている部分および水着用土台部と接続され、伸縮可能な布で形成された伸縮部をさらに備えている。
【００２１】
上記水着において好ましくは、カップ部において、カップ部のうちワイヤが挿入されている部分と接続され、カップ部の頂点に向かう側の平面形状が凹凸になるように形成された補強布をさらに備えている。
【考案の効果】
【００２２】
本考案の一の局面における下着および水着によれば、円弧状部と第１湾曲部と第２湾曲部とを含むワイヤにより、乳房の下側および外側を支持できるので、乳房を持ち上げるなどの形状を整えることができる。また、ワイヤの一方端および他方端が折り曲げ可能であるので、着用時の不快感を緩和する形状を維持することができる。
【００２３】
本考案の他の局面における下着および水着によれば、ワイヤの一方端がカップ部の頂部よりも低い位置に形成されていることにより、乳房の形状によらず着用時の不快感を緩和することができる。
【００２４】
本考案のさらに他の局面における下着および水着によれば、肩ひもは、カップ部の頂点から鉛直方向上方に延びる軸と、カップ部の頂点から肩ひもとカップ部との接続点に延びる軸との交差する角度が０度以上１５度以下であることから、肩ひもは着用したときにカップ部の頂部のほぼ真上に配置されるため、カップ部の頂部を略上方に肩ひもが引っ張ることができる。そのため、乳房をより寄せて上に持ち上げた状態で維持することができ、形状を整えることができる。
【図面の簡単な説明】
【００２５】
【図１】本考案の実施の形態１におけるブラジャーを示す正面図である。
【図２】本考案の実施の形態１におけるブラジャーを示す背面図である。
【図３】（Ａ）は、左側のカップ部近傍を示す拡大正面図であり、（Ｂ）は、左側カップ部近傍を示す拡大裏面図である。
【図４】本考案の実施の形態１におけるブラジャーを構成するワイヤを示す正面図である。
【図５】本考案の実施の形態１におけるブラジャーを着用した状態を示す概略斜視図である。
【図６】（Ａ）は、本考案の実施の形態２におけるボディスーツを示す正面斜視図であり、（Ｂ）は、本考案の実施の形態２におけるボディスーツを示す背面斜視図である。
【図７】（Ａ）は従来のブラジャーを着用した状態を示す概略斜視図であり、（Ｂ）は従来のカップワイヤを示す平面図である。
【考案を実施するための形態】
【００２６】
以下、図面に基づいて本考案の実施の形態を説明する。なお、以下の図面において同一または相当する部分には同一の参照符号を付し、その説明は繰り返さない。
【００２７】
（実施の形態１）
本考案の実施の形態１は、下着の一例であるブラジャーとしている。図１は、本考案の実施の形態１におけるブラジャーを示す正面図である。図２は、本考案の実施の形態１におけるブラジャーを示す背面図である。図３（Ａ）は、左側のカップ部近傍を示す拡大正面図であり、図３（Ｂ）は、左側カップ部近傍を示す拡大裏面図である。図４は、本考案の実施の形態１におけるブラジャーを構成するワイヤを示す正面図である。図１〜図４を参照して、本考案の実施の形態１におけるブラジャーを説明する。本考案の実施の形態１におけるブラジャー１０は、ティアドロップ型のワイヤ１４を備えている。
【００２８】
本考案の実施の形態１におけるブラジャー１０は、図１および図２に示すように、たとえば土台部１１と、カップ部１２と、肩ひも１３と、ワイヤ１４とを備える。カップ部１２は、土台部１１に接続され、左右の乳房をそれぞれ覆うための部材である。肩ひも１３は、土台部１１およびカップ部１２のうち少なくとも一方に接続されている。ワイヤ１４は、カップ部１２の少なくとも一部に配置されている。図４に示すように、ワイヤ１４は、円弧状部１４ａと、第１湾曲部１４ｂと、第２湾曲部１４ｃとを含んでいる。円弧状部１４ａは、カップ部１２の下縁に沿うように形成されている。第１湾曲部１４ｂは、円弧状部１４ａの外側の部分から上側に向かって延びるように形成され、カップ部１２の外縁に沿うように湾曲する。第２湾曲部１４ｃは、第１湾曲部１４ｂから上側に向かって延びるように形成され、第１湾曲部１４ｂと反対側に湾曲している。
【００２９】
ワイヤ１４は、ワイヤ１４における左右の乳房の内側に配置される円弧状部１４ａの先端部である一方端１４ｄと、ワイヤ１４における左右の乳房の外側に配置される第２湾曲部１４ｃの先端である他方端１４ｅとを有している。ワイヤ１４の一方端１４ｄおよび他方端１４ｅが、着用したときに体の前後方向になるべき方向に折り曲げ可能であり、折り曲げた形状を維持できる。すなわち、着用したときに、一方端１４ｄおよび他方端１４ｅの少なくとも一方を不快感が緩和される方向に折り曲げて、その形状を維持することができる。なお、折り曲げ可能とは、折ることだけが可能の場合も含む。
【００３０】
また、ワイヤ１４における左右の乳房内側に配置される円弧状部１４ａの先端部である一方端１４ｄが、カップ部１２の頂点１２ａよりも低い位置に形成されている。
【００３１】
また、肩ひも１３は、カップ部１２の頂点１２ａから鉛直方向上方に向かって延びる軸ｘと、カップ部１２の頂点１２ａからの肩ひも１３とカップ部１２との接続点１３ａに向かって延びる軸ｙとの交差する角度θが０度以上１５度以下である。なお、頂点１２ａとは、カップ部１２を水平面に置いたときの最も高い凸部を意味する。頂点１２ａは、線または面を構成している場合もあり、この場合には当該線または面の任意の一点を意味する。また、接続点１３ａは、体の前面に相当する側において肩ひも１３が土台部１１およびカップ部１２のうち少なくとも一方と接続されている部分のうち肩ひも１３の幅方向の中心を意味する。
【００３２】
角度θが０度のときは、肩ひも１３は、着用したときにカップ部１２の頂点１２ａのほぼ真上に配置される。角度θが０度以上１５度以下のときは、肩ひも１３は左右それぞれの半身において略中心に配置できるので、肩ひも１３は乳房の中心を上方に引き上げることができる。そのため、角度θを上記範囲とすることにより、ブラジャー１０を着用したときに、頂点１２ａをより体の中心側へ寄せ、かつ高い位置に上げることができる。なお、角度θは０度に近いほど、頂点１２ａをよりからだの中心側へ寄せて持ち上げることができるので好ましい。
【００３３】
詳細には、図１に示すように、土台部１１は、２つのカップ部１２を胸部で支持できる形状としている。土台部１１は、たとえば、肌当たりの良好なシルケット天竺などその他からなる布を用いている。土台部１１は、体の背面に相当する側でかつ表面側にブラジャー１０を着脱可能とする互いに嵌合する引掛け部と留め具とを含む着脱部１１ａを有している。着脱部１１ａは、たとえば、肌当たりの良好なシルケット天竺からなる布を用いている。なお、肌当たりの良好な布を用いることが好ましいが、布の材質には特に限定されない。
【００３４】
カップ部１２は、図３（Ａ）および図３（Ｂ）に示すように、ワイヤ挿入部１２ｂと、カップ布１２ｃとを含んでいる。ワイヤ挿入部１２ｂは、ワイヤ１４が挿入可能な空間を有するように、カップ部１２の輪郭を沿うように配置されている。カップ布１２ｃは、乳房を覆うように形成され、ワイヤ挿入部１２ｂと接続されている。カップ布１２ｃの断面形状は、たとえば山形に形成されている。カップ布１２ｃの材質は、たとえば前面側にレース素材、背面側にシルケット天竺の２枚を用いている。また、内側上辺部１２ｄは、カップ布１２ｃを身生地折り返し仕様としている。これにより、肌当たりを良好にするとともに、カップ布１２ｃの前面側と背面側との段差をつき難くして美観を損なわないようにしている。
【００３５】
肩ひも１３の前面側端部は、接続部材１７を介してカップ部１２と接続されている。肩ひも１３の背面側端部は、土台部１１と縫着されている。肩ひも１３は、特にこれに限定されず、着脱可能とする接続部材等を用いることにより、肩ひも１３をブラジャー１０から着脱可能としても良い。肩ひも１３は、たとえば肩の負担を軽減する観点から伸縮可能な布地を用いている。また、肩ひも１３には長さを調節できるアジャスタなどの部材を含んでいてもよい。
【００３６】
ワイヤ１４は、図３（Ａ）および図３（Ｂ）に示すようにカップ部１２のワイヤ挿入部１２ｂに挿入されている。ワイヤ１４は、ワイヤ挿入部１２ｂの空間に直接挿入することができ、挿入後、ワイヤ１４が移動しないように、たとえばワイヤ挿入部１２ｂの両端を縫うことにより固定されている。また、ワイヤ１４を側方から見たときの形状は、平面的な形状であっても立体的な形状であってもよい。
【００３７】
図４に示すように、円弧状部１４ａは、手を上げたときに引き上げられる乳房の下の輪郭であるいわゆるバージスラインに沿った形状としている。第１湾曲部１４ｂは、その中心を円弧状部１４ａの中心と同じ側とし、円弧状部１４ａよりも曲率半径を大きく形成されている。第２湾曲部１４ｃは、中心を円弧状部１４ａの中心と反対側とし、円弧状部１４ａよりも曲率半径が大きくなるように形成されている。
【００３８】
また、一方端１４ｄおよび他方端１４ｅは、矢印３１ａ，３１ｂに示すように、ワイヤ１４において互いに近づく方向に向かって形成されている。ワイヤ１４を挿入したブラジャー１０を着用するときには、ワイヤ１４の一方端１４ｄおよび他方端１４ｅはカップ部１２と肩ひも１３との接続点１３ａに向かって配置される。一方、従来のワイヤ１０４は、図７（Ｂ）に示すように、略半円状である。ワイヤ１０４の両端１０４ａは矢印３２ａ，３２ｂに示すように、互いに平行の向き（図７（Ｂ）において上向き）に形成されている。そのため、実施の形態１におけるワイヤ１４は、乳房の形状と整合した形状であるため、ブラジャー１０の着用時における不快感を大幅に緩和することができる。
【００３９】
また、一方端１４ｄは、乳房の形状を問わずブラジャーに適用できるため、カップ部１２の頂点１２ａよりも低い位置に形成されている。そのため、乳房の形状とワイヤ１４の形状との相違から生じるブラジャー１０の着用時における不快感を大幅に緩和することができる。なお、一方端１４ｄの形状は特にこれに限定されず、円弧状部１４ａは、たとえば円弧状部１４ａの一方端１４ｄと、円弧状部１４ａと第１湾曲部１４ｂとの接続場所とを結ぶ形状を略半円となるように形成してもよい。一方端１４ｄをブラジャー１０に挿入して着用したときに、一方端１４ｄが乳房の最も高い位置と同じ高さまたはそれより低い高さの位置に配置されていれば、ブラジャー１０の着用時の不快感を緩和することができるからである。
【００４０】
伸縮部１５は、カップ部１２のうちワイヤ１４が挿入されている部分および土台部１１と接続されており、伸縮可能な布で形成されている。具体的には、カップ部１２のうちワイヤ１４の第２湾曲部１４ｃが挿入されている部分および土台部１１と接続されている。ブラジャー１０を着用したときには、伸縮部１５はワイヤ１４の第２湾曲部１４ｃが挿入されている部分の脇側に配置される。そのため、ワイヤ１４で乳房の形状を整える際に、脇側の乳房を乳房の中心へ寄せる補助的な役割を果たす。また、伸縮部１５は、ワイヤ挿入部１２ｂと接続されていればよく、たとえばワイヤ挿入部１２ｂにおいて第２湾曲部１４ｃおよび第１湾曲部１４ｂが挿入されている部分と接続されていてもよい。伸縮部１５の材質としては、たとえばシルケット天竺を用いることができる。
【００４１】
補強布１６は、カップ部１２において、カップ部１２のうちワイヤ１４が挿入されている部分と接続され、カップ部１２の頂点１２ａに向かう側の平面形状が凹凸になるように形成されている。具体的には、補強布１６は、カップ部１２においてワイヤ１４の円弧状部１４ａにおける一方端１４ｄ近傍から第１湾曲部１４ｂと接続される接続点近傍までに渡り接続され、カップ部１２の頂点１２ａに向かう側の先端が鋭角に形成された凹凸形状（図３（Ａ）（Ｂ）においてチューリップ型の形状）としている。また、補強布１６は、美観を損なわないという観点から、カップ部１２の表面に配置されていれば、その他の構成に特に限定されない。実施の形態１では、補強布１６は、カップ布１２ｃの前面側の布と背面側の布との間に配置されている。補強布１６は、円弧状部１４ａが挿入されているワイヤ挿入部１２ｂを補強するための部材である。先端が鋭角の凹凸形状とすることにより、ブラジャー１０の着用時において補強布１６により生じる段差をより目立たなくすることができる。
【００４２】
次に、本考案の実施の形態１におけるブラジャー１０を着脱する動作について説明する。図５は本考案の実施の形態１におけるブラジャー１０を着用した状態を示す概略斜視図である。
【００４３】
ブラジャー１０の着用方法は、従来の技術に基づく着用方法と同様である。すなわち、図５に示すように、肩ひも１３に左右それぞれの腕を通し、肩ひも１３が両肩にかかるようにする。そして、ブラジャー１０のティアドロップ型のワイヤ１４に、下側および脇側の乳房を包み込む。そして、図２に示すように、着脱部１１ａにおいて引掛け部と留め具とを接続することにより、胸部に巻くようにして体とブラジャー１０とを接続する。これにより、乳房の形状を整えて、乳房を寄せて上げることができた状態でブラジャー１０を着用できる。なお、ティアドロップ型のブラジャー１０は、円弧状部１４ａ、第１湾曲部１４ｂ、および第２湾曲部１４ｃを含むワイヤが乳房の上方に向かって自然な丸みを作り出しているので、外観において不自然にならずに乳房を寄せて上げることができる。
【００４４】
また、図５に示すように、ブラジャー１０の着用時における肩ひも１３は、カップ部１２の頂点１２ａのほぼ真上に配置されている。従来のブラジャー１００を着用するときには、図７に示すように、肩ひも１０３は、カップ部１０２の頂点よりも肩よりに配置される。
【００４５】
また、ブラジャー１０を脱ぐ際には、着用する方法と逆の方法を行なうため、その説明は繰り返さない。
【００４６】
以上説明したように、本考案の実施の形態１における下着の一例であるブラジャー１０によれば、土台部１１と、カップ部１２と、肩ひも１３と、ティアドロップ型のワイヤ１４とを備えている。そのため、円弧状部１４ａと第１湾曲部１４ｂと第２湾曲部１４ｃとを含むワイヤ１４により、乳房の下側および外側を支持できるので、乳房を持ち上げるなどの形状を整えることができる。よって、乳房を持ち上げて形状を整えることができる。
【００４７】
上記ブラジャー１０は、ワイヤ１４の一方端１４ｄおよび他方端１４ｅが、着用したときに体の前後方向になるべき方向に折り曲げ可能であり、折り曲げた形状を維持できる。そのため、ワイヤ１４の一方端１４ｄおよび他方端１４ｅが折り曲げ可能であるので、着用するときにワイヤ１４の一方端１４ｄおよび他方端１４ｅを折り曲げて不快感を緩和する形状とし、当該形状を維持することができる。よって、着用時の不快感を緩和することが可能となる。
【００４８】
上記ブラジャー１０は、一方端１４ｄが、カップ部１２の頂点１２ａよりも低い位置に形成されている。ワイヤ１４の一方端１４ｄがカップ部１２の頂点１２ａよりも低い位置に形成されているので、カップ部１２の形状と乳房の形状との相違から一方端１４ｄと乳房の内側との接触により生じる着用時の不快感を緩和することができる。
【００４９】
上記ブラジャー１０は、肩ひも１３は、カップ部１２の頂点１２ａから鉛直上方に延びる軸ｘと、カップ部１２の頂点１２ａから肩ひも１３とカップ部１２との接続点１３ａに延びる軸ｙとの交差する角度が０度以上１５度以下である。これにより、肩ひも１３は着用したときにカップ部１２の頂点１２ａのほぼ真上に配置されるため、肩ひも１３はカップ部１２の頂点１２ａを略上方に引っ張ることができる。そのため、乳房をより寄せて上に持ち上げた状態で維持することができ、乳房の形状を整えることができる。また、肩ひも１３を着用したときにカップ部１２の頂点１２ａのほぼ真上に配置されるため、肩部分の肌を露出する衣服を着用するときに、肩ひも１３が見える可能性が低くなるので、衣服の選択を大きくすることができ、利便性が向上する。さらに、肩ひも１３は、乳房の形状を整えた状態で引き上げることが容易であるので、肩の負担を軽減することができるので、たとえば肩こりなどの症状を抑制することができる。
【００５０】
上記ブラジャー１０において好ましくは、カップ部１２のうちワイヤ１４が挿入されている部分および土台部１１と接続された、伸縮可能な布で形成された伸縮部１５をさらに備えている。これにより、脇側の乳房を包み込むワイヤ１４を補助して、脇側の乳房をより包み込むことが可能となる。また、脇側の乳房をより包み込むことにより、脇部の形状をより整えることができる。
【００５１】
上記ブラジャー１０において好ましくは、カップ部１２において、カップ部１２のうちワイヤ１４が挿入されている部分と接続され、カップ部１２の頂点１２ａに向かう側の平面形状が凹凸になるように形成された補強布１６をさらに備えている。これにより、ワイヤ挿入部１２ｂを補強することができる。また、補強布１６の平面形状を凹凸とすることにより、ブラジャー１０の着用時において補強布１６により生じる段差を目立たなくすることができる。
【００５２】
（実施の形態２）
本考案の実施の形態２は、下着の一例であるボディスーツとしている。図６（Ａ）は、本考案の実施の形態２におけるボディスーツを示す正面斜視図である。図６（Ｂ）は、本考案の実施の形態２におけるボディスーツを示す背面斜視図である。図６（Ａ）および図６（Ｂ）を参照して、実施の形態２におけるボディスーツを説明する。図６（Ａ）および図６（Ｂ）を参照して、実施の形態２におけるボディスーツは、実施の形態１におけるブラジャー１０のカップ部を備えるが、土台部の形状において異なる。
【００５３】
詳細には、ボディスーツ２０の土台部２１は、前身頃２１ａと後身頃２１ｂとを含んでいる。たとえば、前身頃２１ａは、体の前側を覆うように形成され、後身頃２１ｂは、体の後側を覆うように形成されている。前身頃２１ａと後身頃２１ｂとは、側方において縫着されている。前身頃２１ａおよび後身頃２１ｂの下部には、２つの脚開口部２１ｃが形成されている。前身頃２１ａおよび後身頃２１ｂは、体における腹部および尻部に密着するような形状としている。
【００５４】
カップ部１２は、基本的には実施の形態１と同様のティアドロップ型であり、ストラップ１３は、実施の形態１と同様であるので、その説明は繰り返さない。なお、カップ部１２が、土台部２１と接続されていることも実施の形態１と同様である。
【００５５】
次に、本考案の実施の形態２におけるボディスーツ２０を着脱する動作について説明する。ボディスーツ２０の着用方法は、従来の技術に基づく着用方法と同様である。すなわち、ボディスーツ２０の略上半分を折り返す。そして、脚開口部２１ｃから両脚を中に入れて脚を通して、ボディスーツ２０を上側に引き上げる。そして、ボディスーツ２０をほぼ腰の位置まで覆うように引き上げる。そして、折り返された略上半分の部分を元に戻し、２本の肩ひも１３が肩にかかるように両腕を通す。そして、ティアドロップ型のワイヤ１４に、下側および脇側の乳房を包み込む。すると、乳房の形状を整えて、乳房を寄せて上げた状態でボディスーツ２０を着用できる。なお、ティアドロップ型のカップ部を有するボディスーツ２０は、円弧状部１４ａ、第１湾曲部１４ｂ、および第２湾曲部１４ｃを含むワイヤが乳房の上方に向かって自然な丸みを作り出しているので、外観において不自然にならずに乳房を寄せて上げた状態を維持することができる。
【００５６】
また、肩ひも１３は、カップ部１２の頂点のほぼ真上に配置されている。肩を露出させる衣服を着用するときには肩ひも１３が衣服の中に配置されて隠れるため、ボディスーツ２０の利便性が向上する。
【００５７】
また、ボディスーツ２０を脱ぐ際には、着用する方法と逆の方法を行なうため、その説明は繰り返さない。
【００５８】
以上説明したように、本考案の実施の形態２における下着の一例であるボディスーツ２０によれば、カップ部１２をティアドロップ型としている。そのため、ボディスーツ２０を着用するときには、乳房を持ち上げて形状を整えると共に、着用時の不快感を緩和することができる。
【００５９】
なお、下着としては、カップ部１２を有するものであれば、特に、ブラジャーおよびボディスーツに限定されない。たとえば、カップドレスなども適用できる。
【００６０】
（実施の形態３）
本考案の実施の形態３における水着は、たとえばセパレート型水着としている。セパレート型水着は、トップスとボトムスとを備える。実施の形態３におけるセパレート型水着のトップスは、材質が異なる点を除き、図１および図２に示すブラジャー１０と同様の構成としているのでその説明は繰り返さない。セパレート型水着の材質は、耐水性のものであれば特に限定されず、たとえばナイロン性とすることができる。また、ボトムスは、通常のセパレート型水着のボトムスと同様のものを用いることができる。
【００６１】
なお、セパレート型水着を着脱する動作は、トップスは実施の形態１におけるブラジャー１０を着脱する動作と同様であり、ボトムスの動作は、通常のボトムスと同様であるので、その説明は繰り返さない。
【００６２】
以上説明したように、本考案の実施の形態３における水着によれば、カップ部をティアドロップ型とし、実施の形態１および２の下着と同様の構成を備えている。よって、セパレート型水着を着用するときには、乳房を持ち上げて形状を整えると共に、着用時に不快感を緩和することができる。
【００６３】
次に、実施の形態３の水着であるセパレート型水着の変形例について説明する。実施の形態３の変形例における水着は、ワンピース型水着とする。変形例におけるワンピース型水着は、基本的には、図６（Ａ）および図６（Ｂ）に示すボディスーツ２０と同様の構成であるが、土台部に開閉部材を有している点および材質が異なる点において異なる。その他は、ボディスーツ２０と同様の構成としているのでその説明は繰り返さない。
【００６４】
ワンピース型水着は、図６（Ｂ）を参照して、土台部の後身頃の中心でかつ上から中央にかけて開閉部材を有している。開閉部材は、たとえばチャックとし、チャックを上げ下げする動作を行なうことにより、ワンピース型水着の着脱を容易にすることができる。なお、ワンピース型水着は、特にこの構成に限定されず、開閉部材を備えていなくてもよい。
【００６５】
また、ワンピース型水着の材質は、耐水性のものであれば特に限定されず、たとえばナイロン性とすることができる。
【００６６】
なお、ワンピース型水着を着脱する動作はボディスーツ２０を着脱する動作と基本的に同様であるので、その説明は繰り返さない。ただし、着用する際には最初にチャックを下げるなどして開閉部材を開け、最後にチャックを上げるなどして開閉部材を閉じる動作を追加する。脱ぐ際には、その逆の動作を追加する。
【００６７】
以上説明したように、本考案の実施の形態３の変形例における下着であるワンピース型水着によれば、カップ部をティアドロップ型とし、実施の形態１および２の下着と同様の構成を備えている。よって、ワンピース型水着を着用するときには、乳房を持ち上げて形状を整えると共に、着用時に不快感を緩和することができる。
【００６８】
なお、水着としては、カップ部を有するものであれば、上述した水着に特に限定されない。
【００６９】
今回開示された実施の形態はすべての点で例示であって制限的なものではないと考えられるべきである。本考案の範囲は上記した実施の形態ではなくて請求の範囲によって示され、請求の範囲と均等な意味および範囲内でのすべての変更点が含まれることが意図される。
【符号の説明】
【００７０】
１０  ブラジャー、１１  土台部、１１ａ  着脱部、１２  カップ部、１２ａ  頂点、１２ｂ  ワイヤ挿入部、１２ｃ  カップ布、１２ｄ  内側上辺部、１３  ストラップ、１３ａ  接続点、１４  ワイヤ、１４ａ  円弧状部、１４ｂ  第１湾曲部、１４ｃ  第２湾曲部、１４ｄ  一方端、１４ｅ  他方端、１５  伸縮部、１６  補強布、１７  接続部材、２０  ボディスーツ、２１  土台部、２１ａ  前身頃、２１ｂ  後身頃、２１ｃ  脚開口部、３１ａ，３１ｂ，３２ａ，３２ｂ  矢印、ｘ，ｙ  軸、θ  角度。
【図１】
0003153735.tif 000003
【図２】
0003153735.tif 000004
【図３】
0003153735.tif 000005
【図４】
0003153735.tif 000006
【図５】
0003153735.tif 000007
【図６】
0003153735.tif 000008
【図７】
0003153735.tif 000009